(57)【要約】【課題】剣道用防具である垂に装着して使用する上端部を開口させた袋状の剣道用垂ゼッケンにおいて、装着時に剣道用垂ゼッケンの上部だけが縮まった状態となってしまうのを防止して、外観を良好なものとすること。【解決手段】本発明では、剣道用防具である垂(2)に装着して使用する上端部を開口させた袋状の剣道用垂ゼッケン(1)において、袋(6)の裏面に上端開口部から下方に向けてスリット(7)を形成するとともに、スリット(7)の間に伸縮可能な伸縮体(8)を跨設することにした。特に、袋(6)を下方へ向けて幅広の形状に形成するとともに、スリット(7)を下方へ向けて幅狭の形状に形成し、スリット(7)の上端から下端まで伸縮体(8)で跨設することにした。また、スリット(7)を袋(6)の上端開口部から下端底部まで形成し、スリット(7)の上端から下端まで伸縮体(8)で跨設することにした。【選択図】図１
2010252891.tif 000002
【特許請求の範囲】
【請求項１】
剣道用防具である垂に装着して使用する上端部を開口させた袋状の剣道用垂ゼッケンにおいて、
袋の裏面に上端開口部から下方に向けてスリットを形成するとともに、スリットの間に伸縮可能な伸縮体を跨設したことを特徴とする剣道用垂ゼッケン。
【請求項２】
袋を下方へ向けて幅広の形状に形成するとともに、スリットを下方へ向けて幅狭の形状に形成し、スリットの上端から下端まで伸縮体で跨設したことを特徴とする請求項１に記載する剣道用垂ゼッケン。
【請求項３】
スリットを袋の上端開口部から下端底部まで形成し、スリットの上端から下端まで伸縮体で跨設したことを特徴とする請求項１又は請求項２に記載する剣道用垂ゼッケン。
【発明の詳細な説明】
【技術分野】
【０００１】
本発明は、剣道用防具である垂に装着して使用する上端部を開口させた袋状の剣道用垂ゼッケンに関するものである。
【背景技術】
【０００２】
剣道においては、面・籠手・胴・垂の防具を身に着けて競技や練習などが行われるため、競技者の顔を認識することが難しく、競技者の氏名や所属などを表示した袋状の垂ゼッケン（垂ネームともいう。）を垂の中央の大垂に被着している。
【０００３】
この剣道用防具である垂に装着して使用する剣道用垂ゼッケンとしては、従来より、上端部を開口させた袋状のものが多用されており、上端開口部にゴムや面ファスナーを設け、上端開口部で大垂に締め付けて装着するようにしている（たとえば、特許文献１参照。）。
【先行技術文献】
【特許文献】
【０００４】
【特許文献１】実用新案登録第３１２５７５７号公報
【発明の概要】
【発明が解決しようとする課題】
【０００５】
ところが、上記従来の剣道用垂ゼッケンにあっては、袋の上端開口部に設けたゴムや面ファスナーで大垂に締め付けて装着するように構成されていたために、垂に装着した状態では、剣道用垂ゼッケンの上部だけが縮まった状態となっていた。
【０００６】
そのため、上記従来の剣道用垂ゼッケンでは、垂に装着して使用するときに、全体的な形状が不恰好なものとなるばかりではなく、前面に刺繍や印刷などで表示した氏名などが見辛くなってしまっていた。また、上記従来の剣道用垂ゼッケンでは、袋の上端開口部だけで大垂に締め付けて装着されているために、競技中に大垂から不意に外れ落ちてしまうおそれがあった。
【課題を解決するための手段】
【０００７】
そこで、請求項１に係る本発明では、剣道用防具である垂に装着して使用する上端部を開口させた袋状の剣道用垂ゼッケンにおいて、袋の裏面に上端開口部から下方に向けてスリットを形成するとともに、スリットの間に伸縮可能な伸縮体を跨設することにした。
【０００８】
また、請求項２に係る本発明では、前記請求項１に係る本発明において、袋を下方へ向けて幅広の形状に形成するとともに、スリットを下方へ向けて幅狭の形状に形成し、スリットの上端から下端まで伸縮体で跨設することにした。
【０００９】
また、請求項３に係る本発明では、前記請求項１又は請求項２に係る本発明において、スリットを袋の上端開口部から下端底部まで形成し、スリットの上端から下端まで伸縮体で跨設することにした。
【発明の効果】
【００１０】
そして、本発明では、以下に記載する効果を奏する。
【００１１】
すなわち、本発明では、剣道用防具である垂に装着して使用する上端部を開口させた袋状の剣道用垂ゼッケンにおいて、袋の裏面に上端開口部から下方に向けてスリットを形成するとともに、スリットの間に伸縮可能な伸縮体を跨設することにしているために、垂に装着したときに剣道用垂ゼッケンの上部だけが縮まった状態となってしまうのを防止することができ、外観を良好なものとすることができ、また、競技中に垂から不意に外れ落ちてしまうのを防止することができる。
【００１２】
特に、袋を下方へ向けて幅広の形状に形成するとともに、スリットを下方へ向けて幅狭の形状に形成し、スリットの上端から下端まで伸縮体で跨設することにした場合には、末広がり状の大垂全体に一体的に装着されることになり、外観を良好なものとすることができる。
【００１３】
また、スリットを袋の上端開口部から下端底部まで形成し、スリットの上端から下端まで伸縮体で跨設することにした場合には、大垂全体に一体的に装着されることになり、外観を良好なものとすることができる。
【図面の簡単な説明】
【００１４】
【図１】本発明に係る剣道用垂ゼッケンを示す使用状態図。
【図２】同正面図。
【図３】同背面図。
【図４】同平面断面図。
【発明を実施するための形態】
【００１５】
以下に、本発明に係る剣道用垂ゼッケンの具体的な構成について図面を参照しながら説明する。
【００１６】
図１に示すように、剣道用垂ゼッケン１は、剣道用防具である垂２に装着して使用するものである。具体的には、垂２は、垂帯３の中央部分に３枚の大垂４と２枚の小垂５の上端部を取付けており、中央の大垂４に上端部を開口させた袋状の剣道用垂ゼッケン１を大垂４の下方から被せて装着される。
【００１７】
この剣道用垂ゼッケン１は、図２〜図４に示すように、下方へ向けて幅広の形状（末広がり状）に形成した袋６の表面に競技者の氏名を刺繍するとともに、袋６の裏面に袋６の上端開口部から下端底部まで下方へ向けて幅狭の形状（Ｖ字状）のスリット７を形成し、スリット７の上端から下端まで通気性を有し伸縮可能なシート状の伸縮体８を跨設している。
【００１８】
すなわち、剣道用垂ゼッケン１は、前布９と左右の後布10,11の左右外側端部及び下端部を内側で縫合して袋６を形成している。
【００１９】
また、剣道用垂ゼッケン１は、左右の後布10,11の内側端部間にスリット７を形成している。
【００２０】
さらに、剣道用垂ゼッケン１は、左右の後布10,11の内側端部裏面に下方へ向けて幅狭の形状（Ｖ字状）の伸縮体８の左右端部を縫合している。
【００２１】
そして、剣道用垂ゼッケン１は、袋６の上端開口部を伸縮体８の収縮力に抗して開口し、大垂４の下方から上方に向けて被せることで、大垂４に装着することができ、装着後は、伸縮体８の収縮力によって大垂４に一体的に密着した状態となる。
【００２２】
なお、上記剣道用垂ゼッケン１では、２枚の後布10,11の間にスリット７を形成しているが、１枚の後布に切れ込みを形成することでスリットを形成するようにしてもよい。
【００２３】
また、上記剣道用垂ゼッケン１では、袋６の上端開口部から下端底部に到るまでスリット７を形成しているが、袋の上端開口部から中途部までのスリットを形成するようにしてもよい。
【００２４】
また、上記剣道用垂ゼッケン１では、スリット７に１枚の伸縮体８を取付けているが、スリットに複数の帯状の伸縮体を取付けるようにしてもよい。
【００２５】
さらに、上記剣道用垂ゼッケン１では、スリット７の上端部から下端部に到るまで伸縮体８を取付けているが、スリットの中途部だけに伸縮体を取付けるようにしてもよい。
【００２６】
以上に説明したように、上記剣道用垂ゼッケン１は、袋６の裏面に上端開口部から下方に向けてスリット７を形成するとともに、スリット７の間に伸縮可能な伸縮体８を跨設した構成となっている。
【００２７】
そのため、上記構成の剣道用垂ゼッケン１では、垂２に装着したときに、スリット７の間に設けた伸縮体８の収縮力が大垂４に分散し、これにより、剣道用垂ゼッケン１の上部だけが縮まった状態となってしまうのを防止することができ、外観を良好なものとすることができる。
【００２８】
しかも、上記剣道用垂ゼッケン１では、スリット７を袋６の上端開口部から下端底部まで形成し、スリット７の上端から下端まで伸縮体８で跨設している。
【００２９】
そのため、上記構成の剣道用垂ゼッケン１では、垂２に装着したときに、大垂４の全体に一体的に密着して装着されることになり、外観を良好なものとすることができるとともに、大垂４から不意に外れ落ちてしまうのを防止することができる。
【００３０】
さらに、上記剣道用垂ゼッケン１では、袋６を下方へ向けて幅広の形状に形成している。
【００３１】
そのため、上記構成の剣道用垂ゼッケン１では、末広がり状の大垂４でも全体に一体的に密着して装着することができる。
【符号の説明】
【００３２】
１  剣道用垂ゼッケン
２  垂
３  垂帯
４  大垂
５  小垂
６  袋
７  スリット
８  伸縮体
９  前布
10,11  後布
【図１】
2010252891.tif 000003
【図２】
2010252891.tif 000004
【図３】
2010252891.tif 000005
【図４】
2010252891.tif 000006